(57)【要約】【課題】サムターン装置に関し、通常の操作性を低下させることなく、不正操作に対する耐性を高めることを目的とする。【解決手段】サムターンケース１に回転操作可能に装着されるとともに、回転軸２の軸長方向に沿った２位置間を直進移動操作可能な回転操作摘み３と、  回転操作摘み３がいずれか一方の直進移動終端位置においてのみ回転操作摘み３による錠装置４への回転入力を可能にし、他方の終端位置において錠装置４への回転入力を規制する入力規制部５と、  回転操作摘み３を回転入力規制位置側に付勢する付勢手段６と、  回転操作摘み３を回転入力規制位置に拘束し、回転操作摘み３の側方から露出する拘束解除操作部７への拘束解除操作により拘束解除されるストッパ８と、  を有するように構成する。【選択図】図２
2009150162.tif 000002
【特許請求の範囲】
【請求項１】
サムターンケースに回転操作可能に装着されるとともに、回転軸の軸長方向に沿った２位置間を直進移動操作可能な回転操作摘みと、
回転操作摘みがいずれか一方の直進移動終端位置においてのみ回転操作摘みによる錠装置への回転入力を可能にし、他方の終端位置において錠装置への回転入力を規制する入力規制部と、
回転操作摘みを回転入力規制位置側に付勢する付勢手段と、
回転操作摘みを回転入力規制位置に拘束し、回転操作摘みの側壁から露出する拘束解除操作部への拘束解除操作により拘束解除されるストッパと、
を有するサムターン装置。
【請求項２】
前記入力規制部は、回転入力規制位置において錠装置との連結を解除するクラッチ機構により形成され、
回転操作摘みが、回転入力規制位置において空転自在な請求項１記載のサムターン装置。
【請求項３】
前記ストッパは、側方への突出方向に付勢されて回転操作摘みに装着されるとともに、
ストッパとサムターンケースとのいずれか一方には、ストッパへの押下操作力解除状態において回転操作摘みの回転軸長方向のストローク位置とストッパ位置とを同期させるガイド傾斜面が形成される請求項１または２記載のサムターン装置。
【請求項４】
前記ストッパにおける拘束解除操作部の操作面は、回転操作摘みの押し込み方向に行くに従って漸次回転中心に接近する傾斜面により形成される請求項３記載のサムターン装置。
【請求項５】
錠装置に連結され、前記回転操作摘みにより回転操作可能な錠連結軸と、
錠連結軸を回転駆動するアクチュエータとを備えてサムターンケース内に格納される動力ユニットを有する請求項１から４のいずれかに記載のサムターン装置。
【発明の詳細な説明】
【技術分野】
【０００１】
本発明は、サムターン装置に関するものである。
【背景技術】
【０００２】
回転操作摘みへの回転操作により錠装置を施解錠操作するサムターン装置としては、特許文献１に記載のものが知られている。この特許文献１に記載されたサムターン装置は、化粧リング（サムターンケース）内に錠装置に連結されるサムターン軸と、摘みとを有する。サムターン軸と摘みとはクラッチを介して正対配置され、摘みを押し込んだ状態で摘みへの回転操作力を錠装置に伝達することができる。
【０００３】
この従来例は、単一の回転操作だけでは錠装置への解錠操作を行うことができないために、室外からの不正なサムターンへの解錠操作を防止することができるという利点を有するものであるが、押下-回転の２操作で解錠操作が可能で、未だ不正操作の余地があるという問題がある。
【特許文献１】特開２００３-５６２２０号公報
【発明の開示】
【発明が解決しようとする課題】
【０００４】
本発明は、以上の欠点を解消すべくなされたものであって、通常の操作性を低下させることなく、錠装置を解錠操作するための手順を増やすことによって不正操作に対する耐性を高めることのできるサムターン装置の提供を目的とする。
【課題を解決するための手段】
【０００５】
サムターン装置は、サムターンケース１に回転自在に装着され、扉１３への取付状態において錠装置４の回転入力部に連結される錠連結軸１０と、この錠連結軸１０をサムターンケース１外部から回転操作するための回転操作摘み３と、入力規制部５とを有する。回転操作摘み３は、回転操作に加えて、回転軸２に沿った２位置間で直進移動操作することができ、入力規制部５は、回転操作摘み３が一方の直進移動終端位置（回転入力可能位置）においてのみ回転操作摘み３による回転入力部１４への入力操作を許容する。
【０００６】
回転操作摘み３は、前方（本明細書において、サムターン装置を扉１３の室内側壁面に固定した状態において、室内側を「前」、室外側を「後」とする。）への飛び出し位置を回転入力可能位置にすることも、あるいは、後方への押し込み位置を回転入力可能位置とすることもできる。また、入力規制部５は、回転操作摘み３が回転入力規制位置にあるときに回転操作摘み３の回転をブロックして回転を規制するように構成することも、あるいは、回転操作摘み３の位置に応じて、回転操作摘み３の回転軸部１５と回転入力部１４との連結を断接するクラッチとして構成することもできる。入力規制部５をクラッチとして構成した場合には、ブロックされた回転操作摘み３を強引に回転させることによる不正解錠操作を確実に防止できる。
【０００７】
また、回転操作摘み３は、付勢手段６により回転入力規制位置側に付勢され、ストッパ８により該回転入力規制位置に拘束される。ストッパ８は、回転操作摘み３の側壁部から露出する拘束解除操作部７を備え、この拘束解除操作部７に対する解除操作が行われると、回転操作摘み３の拘束が解除される。
【０００８】
したがってこの発明において、サムターン装置を施錠状態から解錠状態に移行させるためには、まず、ストッパ８を解除した後、回転操作摘み３を入力可能位置に移動させ、この後、さらに、回転操作摘み３を回転させる必要がある。この結果、例えば、室外から手を入れてサムターン装置を操作するためには、ストッパ８解除操作-引き出し、あるいは押し込み-回転の各操作が必要となるために、不正解錠操作が困難になり、防犯性能が向上する。さらに、回転操作摘み３は、回転入力規制位置側に付勢されているために、回転操作中は継続して軸方向操作力を加えておく必要があるために、より不正な操作が困難になる。
【０００９】
上記ストッパ８は、解除操作、および摘み拘束位置へのセットに際して利用者によるスライド操作を要するスライドボタン等として構成することも可能であるが、摘み拘束位置側に付勢された押しボタンとして構成すると、回転操作摘み３が回転入力規制位置から回転入力可能位置に復帰した際に、格別の操作を要することなく摘み拘束位置に復帰するために、使い勝手が向上する。
【００１０】
また、ストッパ８を摘み拘束位置側に付勢する場合、ストッパ８とサムターンケース１とのいずれか一方に、ストッパ８への押下操作力解除状態において回転操作摘み３の回転軸２長方向のストローク位置と、ストッパ８位置とを同期させるガイド傾斜面９を設けることができる。ガイド傾斜面９を設けることにより、ストッパ８の復帰ストローク長が制限されるために、例えば、回転操作摘み３をサムターンケース１内に押し込んだ状態でストッパ８の拘束解除操作部７がサムターンケース１により覆われるように構成の場合、回転操作摘み３の押し込み深さが深くなるにつれて復帰ストローク長が短くなり、ストッパ８の拘束解除操作部７とサムターンケース１との間の隙間が大きくなる。
【００１１】
この結果、回転操作摘み３をサムターンケース１内に押し込んだ状態でストッパ８への押し込み力を解除しても、指が深く入った状態では隙間が大きく、浅くなるにつれて徐々に隙間が小さくなるために、サムターンケース１との間に指を挟むことがなくなる。
【００１２】
加えて、ストッパ８における拘束解除操作部７の操作面を、回転操作摘み３の押し込み方向に行くに従って漸次回転中心に接近する傾斜面により形成すると、上記サムターンケース１の上縁と、拘束解除操作部７の操作面との隙間を回転操作摘み３の押し込み深さに影響されずにほぼ一定に保つことができる。
【発明の効果】
【００１３】
本発明によれば、通常の操作性を低下させることなく、不正操作に対する耐性を高めることができる。
【発明を実施するための最良の形態】
【００１４】
図１、２に示すように、サムターン装置は、サムターンケース１と、サムターンケース１に装着される回転操作摘み３と、サムターンケース１内に収容される動力ユニット１２とを有し、回転操作摘み３を室内側に向けた姿勢で扉１３に固定される。扉１３内には錠装置４が固定されており、回転入力部１４を回転させることにより図外のデッドボルトを進退駆動して施解錠動作させることができる。
【００１５】
この実施の形態において、サムターン装置への回転操作は、サムターンケース１の後端部に固定されるアタッチメント１６を経由して行われる。アタッチメント１６は、アタッチメントベース１７に中継軸１８を回転自在に連結して形成され、中継軸１８の出力軸部１８ａが錠装置４の回転入力部４ａに、入力軸部１８ｂが動力ユニット１２に連結される。
【００１６】
動力ユニット１２は、ユニットケース１９内に回転自在に装着される錠連結軸１０と、図外のコントローラからの制御により駆動されるアクチュエータ１１としてのモータと、モータの動力を錠連結軸１０に伝達するギア列２０とを有する。錠連結軸１０は、後端に上記アタッチメント１６の中継軸１８が嵌合する出力部１０ａを、前端に入力部１０ｂを備える。また、回転操作摘み３に回転操作を加えた際に、停止状態のモータによる抵抗が過大にならないように、ギア列２０中には、トルクリミッタ等を利用したクラッチ（図示せず）が介装される。
【００１７】
図３に示すように、上記サムターンケース１は、前面壁から前方に突出する中空のヒンジ筒部１ａと、ヒンジ筒部１ａを包囲するように前方に膨隆するストッパリング部１ｂと、このストッパリング部１ｂをさらに包囲する立ち上がりフランジ部１ｃとを有する。ヒンジ筒部１ａは、上記錠連結軸１０の中心線に対して一直線状に配置され、さらに、ストッパリング部１ｂの内周壁面には、後述する回転操作摘み３側のガイド傾斜面９と傾きがほぼ一致するガイド傾斜面９が形成される。
【００１８】
図２、４に示すように、上記回転操作摘み３は、前端が閉塞されてキャップ形状に形成される主体部３ａから後方に回転軸部１５を突設して形成され、回転軸部１５を上記ヒンジ筒部１ａに挿入してサムターンケース１に回転自在に装着される。回転操作摘み３のサムターンケース１からの脱落を防止するために、回転軸部１５の後端部には止め輪２１が装着される。
【００１９】
また、図４（ａ）に示すように、回転軸部１５には後端面に開口するガイド孔１５ａが開設されるとともに、そのガイド孔１５ａを囲むように、所定ピッチ角度で複数の噛合凹凸１５ｂ、１５ｂ・・・が形成される。これら噛合凹凸１５ｂ、１５ｂ・・・は、後述するジョイント（回転入力部１４）に形成される被噛合凹凸１４ａ、１４ａ・・・と協働して入力規制部５を構成し、ジョイント１４側の被噛合凹凸１４ａへの嵌合が円滑に行われるために、噛合凹凸１５ｂの外壁にはテーパ１５ｃが形成される（図４（ｂ）参照）。
【００２０】
上記主体部３ａの外周壁面３ｃは、回転軸部１５と同心の円形形状を有しており、サムターンケース１に装着された状態で上記サムターンケース１の立ち上がりフランジ部１ｃに後端縁が嵌合される。サムターンケース１の立ち上がりフランジ部１ｃとストッパリング部１ｂに挟まれた領域には、回転操作摘み３の回転軸部１５に沿った後方への直線移動を許容するためのスペースが設定され、回転操作摘み３は、回転軸部１５周りの回転に加え、図２に示すように、上記止め輪２１がサムターンケース１に衝接する回転入力規制位置と、この回転入力規制位置から後方に移動した回転入力可能位置との間を直進移動できる（図６（ｂ）参照）。
【００２１】
また、回転操作摘み３とサムターンケース１との間には、付勢手段６としての圧縮スプリングが介装されて回転操作摘み３を前方、すなわち、回転入力規制位置側に付勢する。
【００２２】
さらに、回転操作摘み３には一対のストッパ８、８’が対向位置に装着される。図２に示すように、ストッパ８、８’は一端に形成される拘束解除操作部７を回転操作摘み３の主体部３ａに開設された切欠３ｂから露出させて配置される。拘束解除操作部７の外周壁７ａは、回転操作摘み３の主体部３ａの外周壁面３ｃとほぼ同一面に位置する下端縁から前方に行くに従って漸次側方への張り出し寸法が大きくなる傾斜面により形成される。この拘束解除操作部７の外周壁７ａの傾斜角度は、上述したサムターンケース１のガイド傾斜面９とほぼ同一に形成される。
【００２３】
図４（ｃ）に示すように、各ストッパ８、８’は回転操作摘み３に形成されたガイド３ｄに沿って側方に移動自在であり、図４（ｃ）において上方に示す飛び出し側のストローク終端（摘み拘束位置）と、下方に示す反対側ストローク終端（摘み拘束解除位置）との間を移動する。これら各ストッパ８、８’は、回転操作摘み３との間に介装される圧縮スプリング２３により摘み拘束位置側に付勢される。
【００２４】
また、図２に示すように、ストッパ８には、後方に向けて突出する突き当て突部８ａが形成される。突き当て突部８ａは、ストッパ８が摘み拘束位置にあるときにサムターンケース１のストッパリング部１ｂに乗り上げてストッパ８、すなわち回転操作摘み３の後方への移動を規制する。この突き当て突部８ａの外周壁には、ストッパリング１ｂに形成されるガイド傾斜面９とほぼ同一の傾斜角度を有するガイド傾斜面９’が形成される。
【００２５】
さらに、上記サムターンケース１には、ジョイント１４が装着される。図５に示すように、ジョイント１４はプレート部１４ｂと、プレート部１４ｂの背面から突出するユニット連結軸１４ｃと、プレート部１４ｂの前面壁から突出するガイド杆１４ｄと、ガイド杆１４ｄを囲むようにして形成される被噛合凹凸１４ａ、１４ａ・・・とを有する。図５（ｂ）、（ｃ）に示すように、プレート部１４ｂは、サムターンケース１に形成されるジョイント支持座１ｄ上に支承され、ジョイント支持座１ｄに形成される回転ストッパ１ｅにより回転角度が規制されて回転操作摘み３の操作角度を決定する。
【００２６】
図２に示すように、プレート部１４ｂがジョイント支持座１ｄに支持された状態で、ジョイント１４のユニット連結軸１４ｃは上述した動力ユニット１２の入力部に嵌合し、ガイド杆１４ｄは回転操作摘み３のガイド孔１５ａ内に挿入する。また、被噛合凹凸１４ａは回転操作摘み３の噛合凹凸１５ｂに噛合可能な形状を有し、回転操作摘み３が回転入力規制位置にあるときには、回転操作摘み３の噛合凹凸１５ｂから適宜間隔離隔する位置に配置される。
【００２７】
したがってこの実施の形態において、何らの操作も加えない状態で、回転操作摘み３は圧縮スプリング６の作用によって回転入力規制位置に保持される。この状態で、回転操作摘み３への回転操作は可能であるが、回転操作摘み３の噛合凹凸１５ｂとジョイント１４の被噛合凹凸１４ａは相互に噛合していないために、回転操作摘み３への回転操作力をジョイント１４に伝達することができず、錠装置４に対する施解錠操作をすることができない。
【００２８】
また、上述した未操作状態において、ストッパ８は圧縮スプリング２３の作用により摘み拘束位置に保持されているために、ストッパ８の突き当て突部８ａがサムターンケース１のストッパ８リングに乗り上げた状態となっている。このため、回転操作摘み３に押し込み方向の操作力を加えただけでは、回転操作摘み３を後方に移動させてジョイント１４に噛合させることはできない。
【００２９】
以上のように、錠装置４への操作が不能な状態から、錠装置４への施解錠操作を行うには、まず、ストッパ８による回転操作摘み３の拘束解除操作を行う。拘束解除操作は、回転操作摘み３の側壁を指で挟むようにして、対向配置されるストッパ８の拘束解除操作部７を圧縮スプリング２３の付勢力に抗して没入方向に押し下げて行われる。図６（ａ）に示すように、ストッパ８の押下操作によって突き当て突部８ａはストッパリング部１ｂとの干渉位置から内方に移動し、回転操作摘み３に対する押し込み操作が可能になる。
【００３０】
図６（ｂ）に示すように、回転操作摘み３の押し込みにより、回転操作摘み３の噛合凹凸１５ｂと、ジョイント１４の被噛合凹凸１４ａが噛み合って、以後、回転操作摘み３への回転操作力はジョイント１４に伝達すること可能になり、結果、錠装置４に対する施解錠操作が可能になる。上述したように、噛合凹凸１５ｂのピッチ角が比較的小さく、かつ、噛合凹凸１５ｂにはテーパ１５ｃが形成されているために、ジョイント１４側の被噛合凹凸１４ａとの噛合は、回転操作摘み３を押し込むだけで、比較的円滑に行われる。
【００３１】
また、回転操作摘み３を押し込んだ状態で、ストッパ８とサムターンケース１の双方に形成されたガイド傾斜面９、９’は相互に対峙、あるいは接触しているために、この状態からストッパ８への操作力を解除すると、ストッパ８は押し込み深さに対応した寸法だけ、摘み拘束位置側に移動する。
【００３２】
図７に本発明の第２の実施の形態を示す。なお、本実施の形態の説明において、上述した実施の形態と実質的に同一の構成要素は、図中に同一符号を付して説明を省略する。
【００３３】
この実施の形態は、アクチュエータ１１が格納され、かつ、回転操作摘み３が空転して不正解錠操作を防止するサムターン装置に対する好適な変形を提案する。
【００３４】
回転操作摘み３を空転させることにより施解錠操作を規制するサムターン装置としては、例えば、特開２００３-５６２２０号公報に記載されたものが知られているが、回転操作摘み３が空転するために、回転操作摘み３の位置を見ただけでは現在の施解錠状態を知ることができないという欠点がある。この実施の形態は、この問題をアクチュエータ１１駆動のための、給電、信号ラインを利用して施解錠状態を電気的表示することにより解決するもので、サムターンケース１内にはＬＥＤ（発光素子２４）が、サムターンケース１の前面壁に開設された透孔１ｆから目視可能に固定される。
【００３５】
動力ユニット１２内には、錠連結軸１０の回転位置から施解錠状態を判定するためのマイクロスイッチ２５が搭載された実装基板２６が固定される。マイクロスイッチ２５はノーマルオープンタイプのスイッチであり、一方の接点がＬＥＤ２４に接続され、他方の接点にコネクタ２７を経由して常時電圧印可される。
【００３６】
錠連結軸１０が回転操作摘み３、あるいは動力ユニット１２、さらには、図外のシリンダ錠への施解錠操作により施錠状態、あるいは解錠状態に移行すると、マイクロスイッチ２５の接点間が閉成し、ＬＥＤ２４への通電が開始される。
【００３７】
なお、ＬＥＤ２４への点灯の制御は、これ以外にも、例えば、コントローラからのドライブ信号の出力により行うことが可能であり、さらに、施解錠状態の検出も、錠装置４のデッドボルト位置をマイクロスイッチ２５、あるいはセンサにより検出して行うこともできる。
【００３８】
したがって、以上の構成によれば、利用者はサムターンケース１に配置されるＬＥＤ２４によって施解錠状態を容易に知ることができる。また、ＬＥＤ２４への給電等は、動力ユニット１２への給電、制御信号ルートを利用することができるために、構造が簡単になる。
（付記）
（付記１）
サムターンケース１に回転操作可能に装着されるとともに、回転軸２の軸長方向に沿った２位置間を直進移動操作可能な回転操作摘み３と、
回転操作摘み３がいずれか一方の直進移動終端位置においてのみ回転操作摘み３による錠装置４への回転入力を可能にし、他方の終端位置において錠装置４への回転入力を規制する入力規制部５と、
回転操作摘み３を回転入力規制位置側に付勢する付勢手段６と、
回転操作摘み３を回転入力規制位置に拘束し、回転操作摘み３の側方から露出する拘束解除操作部７への拘束解除操作により拘束解除されるストッパ８と、
を有するサムターン装置。
（付記２）
前記入力規制部５は、回転入力規制位置において錠装置４との連結を解除するクラッチ機構により形成される付記１記載のサムターン装置。
（付記３）
前記ストッパ８は、側方への突出方向に付勢されて回転操作摘み３に装着されるとともに、
ストッパ８とサムターンケース１とのいずれか一方には、ストッパ８への押下操作力解除状態において回転操作摘み３の回転軸２長方向のストローク位置と、ストッパ８位置とを同期させるガイド傾斜面９が形成される付記１または２記載のサムターン装置。
（付記４）
前記ストッパ８における拘束解除操作部７の操作面は、回転操作摘み３の押し込み方向に行くに従って漸次回転中心に接近する傾斜面により形成される付記３記載のサムターン装置。
（付記５）
錠装置４に連結され、前記回転操作摘み３により回転操作可能な錠連結軸１０と、
錠連結軸１０を回転駆動するアクチュエータ１１とを備えてサムターンケース１内に格納される動力ユニット１２を有する付記１から４のいずれかに記載のサムターン装置。
（付記６）
錠装置４に連結される錠連結軸１０と、
錠連結軸１０を駆動するアクチュエータ１１と、
前記錠連結軸１０にクラッチを介して連結され、クラッチ接続状態において錠連結軸１０への回転操作力の伝達が可能な回転操作摘み３とをサムターンケース１に保持して形成されるとともに、
サムターンケース１には、錠装置４の施解錠状態を表示する発光素子２４が固定されるサムターン装置。
（付記７）
前記回転操作摘み３は回転軸２の軸長方向に沿った２位置間を直進移動操作可能であり、
前記クラッチは、回転操作摘み３の後端部に形成される噛合凹凸１５ｂと、
後端部において錠装置４に連結されるとともに、前端に前記回転操作摘み３の噛合凹凸１５ｂに対向し、回転操作摘み３の後方への直進移動に際して前記噛合凹凸１５ｂに噛合する被噛合凹凸１４ａを備えたジョイント１４とを有してなる付記６記載のサムターン装置。
【図面の簡単な説明】
【００３９】
【図１】サムターン装置を示す図で、（ａ）は正面図、（ｂ）は背面図である。
【図２】本発明を示す断面図である。
【図３】サムターンケースを示す図で、（ａ）は斜視図、（ｂ）は背面図である。
【図４】回転操作摘みを示す図で、（ａ）はサムターンケースに取り付けた状態を示す背面図、（ｂ）は（ａ）の４Ｂ-４Ｂ線断面図、（ｃ）は図２の４Ｃ-４Ｃ線断面図である。
【図５】ジョイントを示す図で、（ａ）は（ｂ）の５Ａ-５Ａ線断面図、（ｂ）は正面図、（ｃ）はジョイント支持座上に支承した状態を示す図、（ｄ）は（ｃ）の状態から反対側の回転ストローク終端まで回転させた状態を示す図である。
【図６】錠装置への施解錠操作を示す図で、（ａ）はストッパによる回転操作摘みの拘束解除操作を示す図、（ｂ）は回転操作摘みに対する押し込み操作を示す図である。
【図７】他の実施の形態を示す図で、（ａ）は正面図、（ｂ）は断面図である。
【符号の説明】
【００４０】
１        サムターンケース
２        回転軸
３        回転操作摘み
４        錠装置
５        入力規制部
６        付勢手段
７        拘束解除操作部
８        ストッパ
９        ガイド傾斜面
１０      錠連結軸
１１      アクチュエータ
１２      動力ユニット
【図１】
2009150162.tif 000003
【図２】
2009150162.tif 000004
【図３】
2009150162.tif 000005
【図４】
2009150162.tif 000006
【図５】
2009150162.tif 000007
【図６】
2009150162.tif 000008
【図７】
2009150162.tif 000009